(57)【要約】【課題】踏段とスカートガードとの間に物を挟まない構造を有したエスカレータを提供する。【解決手段】一実施形態のエスカレータ１は、踏段３と、スカートガード５と、ベルト１１と、ローラ１２とを備える。踏段３は、上階１０１と下階１０２との間を循環運転される。スカートガード５は、踏段３の両側部に配置される。ベルト１１は、上階１０１と下階１０２との間を斜めに移動する範囲の踏段３の側部に対峙して配置され、踏段３の移動方向に沿って循環移動する。ローラ１２は、ベルト１１を支持するために複数配置される。【選択図】      図１
2012056671.tif 000002
【特許請求の範囲】
【請求項１】
上階と下階との間を循環運転される踏段と、
前記踏段の両側部に配置されるスカートガードと、
前記上階と前記下階との間を斜めに移動する範囲の前記踏段の側部に対峙し前記踏段の移動方向に沿って循環移動するベルトと、
前記ベルトを支持する複数のローラと
を備えることを特徴とするエスカレータ。
【請求項２】
複数の前記ローラは、
前記踏段の側部から離れる方向へ変位する支持部材と、
前記ローラが前記踏段の側部から離れる方向へ変位したことを検知するスイッチと
をそれぞれ備えることを特徴とする請求項１に記載されたエスカレータ。
【請求項３】
いずれかの前記ローラが変位したことを前記スイッチによって検出した場合、前記踏段の移動速度を減速させることを特徴とする請求項２に記載されたエスカレータ。
【請求項４】
いずれかの前記ローラが変位したことを前記スイッチによって検出した場合に前記踏段に乗っている利用者に警告を発する報知装置をさらに備えることを特徴とする請求項２に記載されたエスカレータ。
【請求項５】
少なくとも１つの前記ローラは、前記ベルトを前記踏段に同期させて循環させるモータを備えることを特徴とする請求項１に記載されたエスカレータ。
【請求項６】
前記踏段は、前記側部に駆動係合部を備え、
前記ベルトは、前記駆動係合部に係合する従動係合部を備え、前記踏段に同期して循環する
ことを特徴とする請求項１に記載されたエスカレータ。
【請求項７】
前記ベルトは、前記ローラによって前記踏段の前記側部に押し当てられ、その摩擦力によって前記踏段に同期して循環する
ことを特徴とする請求項１に記載されたエスカレータ。
【請求項８】
前記スカートガードは、前記上階および前記下階で水平に移動する範囲の前記踏段の前記側部に対峙する部分が、前記踏段の前記側部に向き合う前記ベルトよりも前記側部から離れている
ことを特徴とする請求項１に記載されたエスカレータ。
【発明の詳細な説明】
【技術分野】
【０００１】
本発明の実施形態は、踏段とスカートガードの間に物を挟まないための安全装置を備えるエスカレータに関する。
【背景技術】
【０００２】
エスカレータの踏段が下階から上階へ移動する場合、踏段の両側に配置されるスカートガードは、踏段に対して下方へ移動する。また踏段が上階から下階へ移動する場合、スカートガードは、踏段に対して上方へ移動する。踏段の上にある物は、スカートガードに接触すると、踏段とスカートガードとの間に引き込まれる方向へ力を受ける。
【０００３】
踏段とスカートガードとの間に物を挟まないために、踏段の端部を黄色で縁取りして注意を喚起したり、スカートガードに潤滑剤を塗布したり、スカートガードに接触センサを配置して警告を発するとともに運転を停止させたりすることが行われている。また、踏段の端部を中央部よりも高くすることでスカートガードに近寄りにくくしたり、利用者が踏むと凹むように踏段の端部を軟質材で構成して利用者に近寄らないように間接的に報知したり、スカートガードに取り付けたブラシによって接近した利用者に注意を促したりするエスカレータも提案されている。
【先行技術文献】
【特許文献】
【０００４】
【特許文献１】特開２００５−２５５２９５号公報
【特許文献２】特開２００８−１００８３４号公報
【発明の概要】
【発明が解決しようとする課題】
【０００５】
しかしながら、潤滑剤をスカートガードに塗布するエスカレータの場合、潤滑剤が枯渇すると効果が薄れる。また、潤滑剤が多量に塗布されると利用者の足元を汚すことになる。利用者の五感に頼る安全装置は、利用者に対して有効である。しかし、利用者が携行している物がスカートガードに接触している場合、なかなか気付かないこともある。
【０００６】
そこで、本発明は、踏段とその側方の壁との間に物を挟まないための構造を有したエスカレータを提供する。
【課題を解決するための手段】
【０００７】
一実施形態のエスカレータは、踏段と、スカートガードと、ベルトと、ローラとを備える。踏段は、上階と下階との間を循環運転される。スカートガードは、踏段の両側部に配置される。ベルトは、上階と下階との間を斜めに移動する範囲の踏段の側部に対峙して配置され、踏段の移動方向に沿って循環移動する。ローラは、ベルトを支持するために複数配置される。
【図面の簡単な説明】
【０００８】
【図１】第１の実施形態のエスカレータを示す概略図。
【図２】図１中のＦ２−Ｆ２線に沿うエスカレータの断面図。
【図３】図１に示したエスカレータの踏段とベルトの側面図。
【図４】図３に示した踏段とベルトの正面図。
【図５】図４に示したベルトに足が接触している状態の正面図。
【図６】図１に示したエスカレータの下階側周辺で足が接触している状態の側面図。
【図７】第２の実施形態のエスカレータの下階側を示す斜視図。
【図８】図７に示したエスカレータの上階側を示す斜視図。
【図９】図７に示したベルトの端部と周辺をローラの軸に沿って見る平面図。
【図１０】図７に示したエスカレータの断面図。
【図１１】第３の実施形態のエスカレータの下階側を示す側面図。
【図１２】第４の実施形態のエスカレータの断面図。
【発明を実施するための形態】
【０００９】
第１の実施形態のエスカレータ１は、図１から図６を参照して説明する。図１に示すエスカレータ１は、フレーム２と、踏段３と、駆動装置４と、スカートガード５と、手摺６と、ベルト１１と、ローラ１２と、制御装置７とを備える。フレーム２は、上階１０１と下階１０２との間に斜めに掛け渡され、レールや駆動装置４が設置される。複数の踏段３は、チェーンによって連結されており、レールに沿って案内される。
【００１０】
駆動装置４は、図１に示すように第１の実施形態では上階１０１側に設置され、チェーンを駆動するスプロケット４１に接続されている。駆動装置４がスプロケット４１を回転させると、踏段３は、上階１０１と下階１０２の間を循環運転される。スカートガード５は、上階１０１から下階１０２まで踏段３が案内される範囲において、踏段３の両側部に配置される。手摺６は、スカートガード５の上部に配置され、踏段３が移動するのに連動して同じ速度で循環移動する。
【００１１】
ベルト１１は、図１および図２に示すように上階１０１と下階１０２との間を斜めに移動する範囲の踏段３の側部３Ａに対峙して配置される壁を形成し、スカートガード５の下部から踏段３側へ露出している。図２および図３に示すように、踏段３は、下部に駆動係合部３１を有している。この駆動係合部３１は、踏段３からベルト１１側に向って延びている。ベルト１１は、移動方向に対して直角に外周面に沿って延びる従動係合部１１１を有している。従動係合部１１１は、各踏段３の駆動係合部３１に対応するピッチおよびその間に等間隔で複数配置されている。踏段３が循環すると図３に示すように駆動係合部３１が従動係合部１１１に引っかかり、ベルト１１は、踏段３の移動方向に沿って循環移動する。
【００１２】
ベルト１１は、図１に示すように複数のローラ１２によって支持されている。ローラ１２の軸心１２Ａは、踏段３が移動する方向に対して直角に配置されている。各ローラ１２は、図２に示すように支持部材１２１とスイッチ１２２とを備える。支持部材１２１は、軸受を有し、自由に回転するようにローラ１２を支持する。支持部材１２１は、図２および図４に示すように踏段３の側部３Ａから離れる方向へ変位可能に設けられている。スイッチ１２２は、図１および図２に示すようにローラ１２に対応して１つずつ取り付けられ、ローラ１２が変位した場合にこれを検出する。スイッチ１２２は、図４に示すようなマイクロスイッチであってもよいし、圧電素子や歪ゲージであってもよい。
【００１３】
制御装置７は、図１に示すように駆動装置４とスイッチ１２２と報知装置８とに接続されている。図５に示すように、利用者の足Ｐが踏段３の側部３Ａから飛び出しベルト１１を押すことによっていずれかのローラ１２が変位したことをスイッチ１２２が検出した場合、制御装置７は、駆動装置４を制御して踏段３を停止させる。踏段３の側方に配置されたベルト１１は、踏段３に係合されて同じ速度で移動するので、ベルト１１に押し当てられているものが直ちに踏段３とベルト１１との間に挟まれる心配はない。そこで、制御装置７は、踏段３を急停止させること無く安全に駆動装置４を減速させ、停止させる。
【００１４】
第１の実施形態において報知装置８は、スピーカ８１と表示装置８２とを含む。スピーカ８１は、図１に示すように上階１０１および下階１０２のスカートガード５にそれぞれ埋設されている。表示装置８２は、図１および図６に示すようにベルト１１が設置されている範囲を中心に上階１０１側から下階１０２側までスカートガード５の上部のほぼ全域にわたって配置されている。表示装置８２は、発光ダイオード（ＬＥＤ）を配列したいわゆる電光掲示板であって、一つ一つのＬＥＤのドットで文字や図柄を表示できる。制御装置７は、普段、スピーカ８１から注意や案内をアナウンスし、表示装置８２に広告などの情報を表示させる。
【００１５】
以上のように構成されたエスカレータ１において、図５に示したように踏段３に乗っている利用者の足Ｐなどの身体の一部や携行品が、踏段３の側部３Ａへはみ出しベルト１１を押すと、押された近傍のローラ１２に設けられたスイッチ１２２が、ローラ１２の変位を検出する。制御装置７は、スイッチ１２２の信号を基に、駆動装置４を制御して踏段３および手摺６の移動速度を減速させるとともに、報知装置８から注意や警告を出力する。つまり、制御装置７は、スピーカ８１から注意および警告をアナウンスし、ローラ１２が変位していることを検出しているスイッチ１２２から一定の範囲の表示装置８２に、注意や警告を発する表示を図６に示すように行う。これによってエスカレータ１は、利用者に対して踏段３の中央寄りに立つことを促す。
【００１６】
第１の実施形態のエスカレータ１によれば、踏段３の側方にベルト１１が配置され、このベルト１１が踏段３に伴って循環移動する。つまり踏段３とベルト１１との相対速度差がない。したがって、利用者の足Ｐや携行品が踏段３から側部３Ａ側へはみ出してベルト１１に押し付けられるように接触しても、踏段３の側部３Ａとベルトとの間に足や携行品を引き込む方向へ動摩擦力が作用しない。
【００１７】
また、ベルト１１は、動力源を備えておらず、従動係合部１１１に踏段３の駆動係合部３１を引っ掛けられ、踏段３が循環するのに伴って牽引されるように循環する。スイッチ１２２に起因しない原因によって踏段３が減速または停止した場合でも、それに合わせてベルト１１も減速または停止する。
【００１８】
図３から図６は、踏段３が下階１０２から上階１０１へ運転される状態を示している。踏段３が上階１０１から下階１０２へ運転される場合も同様に、踏段３が移動することに伴ってベルト１１が循環移動する。つまり、踏段３とベルト１１の相対速度差がないので、踏段３の側部３Ａから利用者の足Ｐや携行品が突出しても、ベルト１１に押し当てられた足Ｐや携行品がベルト１１と踏段３の間に引き込まれる方向の動摩擦力を受けない。
【００１９】
第１の実施形態のエスカレータ１は、踏段３の側部３Ａに同期して移動するベルト１１を配置している。エスカレータ１の利用客の五感に頼るのではなく、踏段３とその側方の壁となるベルト１１との間に物が引き込まれるような動摩擦力を発生させない構造によって、安全措置を施している。したがって、潤滑材で利用者の靴や衣服あるいは手荷物などの携行物を汚さない。また、ベルト１１に利用者や物が押し当てられていても、急停止させずに徐々に減速しながら注意を喚起することができる。
【００２０】
第２から第４の実施形態のエスカレータ１は、以下に説明する。各実施形態のエスカレータ１は、第１の実施形態のエスカレータ１と一部分が異なっており、その他の構造は、同じである。したがって、第２から第４の実施形態の説明では異なっている部分について説明し、同じ構造の部分は、第１の実施形態を参酌するものとして以降での説明を省略する。各実施形態の図面中において、第１の実施形態と同じ機能を有する構成は、同一の符号を付す。
【００２１】
第２の実施形態のエスカレータ１は、図７から図１０を参照して説明する。このエスカレータ１において、踏段３の側方に配置されたベルト１１は、踏段３に面したスカートガード５の側面５Ａよりも突出している。踏段３に対するベルト１１の位置は、第１の実施形態と同じである。図１０は、踏段３の移動方向に沿って見るエスカレータ１のベルト１１の周辺の断面図である。スカートガード５の側面５Ａが図１０に示すように踏段３の側部３Ａから離れる方向へ後退した位置に形成されている。
【００２２】
ベルト１１は、踏段３が斜めに移動する範囲に配置されている。つまり、スカートガード５は、図８に示す上階１０１および図７に示す下階１０２でそれぞれ水平に移動する範囲の踏段３の側部３Ａに対峙する部分が、踏段３の側部３Ａに向き合うベルト１１よりも側部３Ａから離れた状態である。上階１０１および下階１０２において、踏段３とスカートガード５との間にできる隙間は、スペーサ５１で埋められる。
【００２３】
下階１０２のベルト１１の端部は、図７に示すようにスカートガード５および踏段３に覆われている。上階１０１側のベルト１１の端部は、図８に示すように水平に移動する踏段３の上面より上に露出している。下階１０２側のベルト１１の端部の上端は、図７に示すように水平に移動する範囲の踏段３の上面に揃っている。踏段３に隣り合うスペーサ５１の角部５１Ａは、図９に示すように、９０度以上の鈍角に形成される。
【００２４】
下階１０２からエスカレータ１に乗った場合、スペーサ５１側に利用者の足や携行品がはみ出していてもベルト１１の上端に乗り上げるだけである。上階１０１からエスカレータ１に乗った場合、スペーサ５１側に利用者の足は携行品がはみ出していても、上階１０１側のベルト１１の端部によって踏段３の上へ押し遣られる。
【００２５】
このように第２の実施形態のエスカレータ１は、スカートガード５の側面５Ａがベルト１１に対して踏段３の側部３Ａから離れている。エスカレータ１に乗り降りする場合、ベルト１１の端部によって、踏段３の中央部へ案内されやすい。
【００２６】
第３の実施形態のエスカレータ１は、図１１を参照して説明する。図１１に示すエスカレータ１は、ベルト１１を駆動装置４と別に設けられたモータ１１２によって駆動される。したがって、踏段３の駆動係合部３１およびベルト１１の従動係合部１１１は、不要である。モータ１１２は、図１１に示すように下階１０２側の一番端のローラ１２にギヤを介して連結される。モータ１１２は、制御装置７に接続される。制御装置７は、踏段３の移動速度にベルト１１の移動速度を同期させるように、駆動装置４とモータの回転速度を制御する。
【００２７】
なお、モータ１１２は、スイッチ１２２によってローラ１２が変位したことを検出した場合のみ、つまり、利用者の足Ｐや携行品が踏段３からはみ出すぐらいにベルト１１に当たっている場合のみ、制御装置７によって駆動されてもよい。踏段３と独立して駆動されるので、エスカレータ１が長い場合には、駆動装置４の負荷を軽減する。そして、常にモータ１１２を運転しないことによって、エスカレータ１の消費電力が減る。
【００２８】
また、踏段３とベルト１１の間に物が挟まったことをスイッチ１２２によって検出した場合、制御装置７は、駆動装置４を制御して踏段３の移動速度を減速させるとともに、この踏段３の速度にベルト１１の移動速度を合わせるようにモータ１１２を制御する。このようにすることで、物が挟まった場合でも、緊急停止させること無く安全にエスカレータを停止させることができる。
【００２９】
第４の実施形態のエスカレータ１は、図１２を参照して説明する。図１２に示すエスカレータ１において、ベルト１１は、踏段３の側部３Ａに密着している。ベルト１１は、全長にわたって踏段３に強く押し当てられていなくても、踏段３と並走している範囲で摩擦力が得られる程度に接していればよい。ローラ１２は、ベルト１１が循環することに伴って自由に回転する。
【００３０】
このように構成された第４の実施形態のエスカレータ１は、ベルト１１と踏段３との間に隙間が生じないため、物が挟まる心配がない。また、ベルト１１を踏段３に同期させるために係合部やモータを必要としない。スイッチ１２２によってローラ１２の変位が検出された場合、制御装置７は、駆動装置４を制御して踏段３の移動速度を減速すれば、踏段３に密着するベルト１１もそれに伴って減速される。
【００３１】
なお、ベルト１１を連れ回す十分な摩擦力が踏段３とベルト１１との間に得られない場合でも、利用者の足や携行品が押し付けられた場合に、その物とベルト１１との間の摩擦力でベルト１１が動けばよい。踏段３とベルト１１との相対移動速度差が無くなれば、踏段３とその側方に配置される壁であるベルト１１との間に物が挟まれない。
【００３２】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲は要旨に含まれるとともに、特許請求の範囲に記載された発明とその均等の範囲に含まれる。
【符号の説明】
【００３３】
１…エスカレータ、３…踏段、３Ａ…側部、３１…駆動係合部、５…スカートガード、８…報知装置、１１…ベルト、１１１…従動係合部、１１２…モータ、１２…ローラ、１２１…支持部材、１２２…スイッチ、１０１…上階、１０２…下階。
【図１】
2012056671.tif 000003
【図２】
2012056671.tif 000004
【図３】
2012056671.tif 000005
【図４】
2012056671.tif 000006
【図５】
2012056671.tif 000007
【図６】
2012056671.tif 000008
【図７】
2012056671.tif 000009
【図８】
2012056671.tif 000010
【図９】
2012056671.tif 000011
【図１０】
2012056671.tif 000012
【図１１】
2012056671.tif 000013
【図１２】
2012056671.tif 000014